(57)【要約】【課題】暗渠疎水材の投入作業を効率的に実施することができる暗渠疎水材投入装置を提供することである。【解決手段】トレンチャーによって掘削される暗渠排水管埋設溝の幅とほぼ等しい幅となるように対向して配置された一対の側壁および側壁の前端部同士を接続する前方壁を有する下部分（１２）と、下部分の上部に連結され、ホッパ形状に形作られた上部分（１４）と、下部分の後方部を閉鎖するように配置され、上下方向の位置を調整できるようになった疎水材調整板（１６）とを備え、トレンチャーを走行させ、下部分が溝内に位置する状態で、上部分から下部分を経由して溝内に疎水材を投入することにより、疎水材の上面が地表面から所定高さＨになるように疎水材調整板の下端（１６ｂ）で均すように構成されていることを特徴とする装置（１０）が提供される。【選択図】  図１
2012132276.tif 000002
【特許請求の範囲】
【請求項１】
トレンチャーの後部に接続される暗渠疎水材投入装置であって、
トレンチャーによって掘削される暗渠排水管埋設溝の幅とほぼ等しい幅となるように対向して配置された一対の側壁および前記側壁の前端部同士を接続する前方壁を有する下部分と、
前記下部分の上部に連結され、ホッパ形状に形作られた上部分と、
前記下部分の後方部を閉鎖するように配置され、上下方向の位置を調整できるようになった疎水材調整板とを備え、
トレンチャーを走行させ、前記下部分が前記暗渠排水管埋設溝内に位置する状態で、前記上部分から前記下部分を経由して前記暗渠排水管埋設溝内に疎水材を投入することにより、疎水材の上面が地表面から所定高さになるように前記疎水材調整板の下端で均すように構成されていることを特徴とする装置。
【請求項２】
前記下部分の前方壁から垂下するように取り付けられた弾性材料製の隔壁片を更に備え、前記隔壁片の下端が暗渠作業時に前記暗渠排水管埋設溝の底に常に接するように前記隔壁片の長さが選定されていることを特徴とする請求項１に記載された装置。
【請求項３】
前記下部分、前記上部分および前記疎水材調整板を昇降させる昇降機構を更に備えていることを特徴とする請求項１又は２に記載された装置。
【発明の詳細な説明】
【技術分野】
【０００１】
本発明は一般に、暗渠疎水材投入装置に関する。より詳細には、本発明は、効率的な暗渠疎水材の投入を可能にする暗渠疎水材投入装置に関する。
【背景技術】
【０００２】
農地などにおける暗渠工事では、埋設した暗渠排水管を疎水材で被覆しなければならない。図８を参照して詳細に説明すると、暗渠工事では、掘削した溝に土管や合成樹脂管などの暗渠排水管を敷設した後、雨水などの浸透を促すため、暗渠排水管の上方に疎水材（例えば、ビリ砂利、火山礫、チップ、籾殻）が投入される。その際、地表から所定深さＨまでは、作物を生育させる表土層とするため、疎水材の投入深さが規定されている。
【０００３】
従来、このような工事においては、掘削溝に暗渠排水管を敷設した後、疎水材を順次投入し、投入された疎水材の上面を作業員が人力で均し、表土層の深さを規定通りに確保していた（図９参照）。
【発明の開示】
【発明が解決しようとする課題】
【０００４】
しかしながら、投入される疎水材の量が均等でないため、均し作業が必要となり、多大な労力を要していた。また、作業中に疎水材に泥等の異物が混入したり、溝の周囲に疎水材が散逸したりする不都合があった。
【０００５】
本発明は、このような状況に鑑みて開発されたものであって、暗渠疎水材の投入作業を効率的に実施することができる暗渠疎水材投入装置を提供することを目的としている。
【課題を解決するための手段】
【０００６】
本願請求項１に記載の、トレンチャーの後部に接続される暗渠疎水材投入装置は、トレンチャーによって掘削される暗渠排水管埋設溝の幅とほぼ等しい幅となるように対向して配置された一対の側壁および前記側壁の前端部同士を接続する前方壁を有する下部分と、前記下部分の上部に連結され、ホッパ形状に形作られた上部分と、前記下部分の後方部を閉鎖するように配置され、上下方向の位置を調整できるようになった疎水材調整板とを備え、トレンチャーを走行させ、前記下部分が前記暗渠排水管埋設溝内に位置する状態で、前記上部分から前記下部分を経由して前記暗渠排水管埋設溝内に疎水材を投入することにより、疎水材の上面が地表面から所定高さになるように前記疎水材調整板の下端で均すように構成されていることを特徴とするものである。
【０００７】
本願請求項２に記載の暗渠疎水材投入装置は、前記請求項１の装置において、前記下部分の前方壁から垂下するように取り付けられた弾性材料製の隔壁片を更に備え、前記隔壁片の下端が暗渠作業時に前記暗渠排水管埋設溝の底に常に接するように前記隔壁片の長さが選定されていることを特徴とするものである。
【０００８】
本願請求項３に記載の暗渠疎水材投入装置は、前記請求項１又は２の装置において、前記下部分、前記上部分および前記疎水材調整板を昇降させる昇降機構を更に備えていることを特徴とするものである。
【発明の効果】
【０００９】
本発明の暗渠疎水材投入装置によれば、疎水材の上面が地表面から所定高さになるように疎水材調整板の下端で自動的に均されるので、多大な労力を必要とせずに、無駄なく綺麗にかつ効率的に暗渠疎水材投入作業を実施することができる。また、隔壁片を設置することにより、作業環境を確保することができるとともに、暗渠排水管の底面に疎水材が侵入することを防止することができる。さらに、昇降機構を設置することにより、暗渠疎水材投入作業の一層の効率化を図ることができる。
【発明を実施するための最良の形態】
【００１０】
次に図面を参照して、本発明の好ましい実施の形態に係る暗渠疎水材投入装置について詳細に説明する。図１は、本発明の好ましい実施の形態に係る暗渠疎水材投入装置を示した斜視図、図２は、図１の暗渠疎水材投入装置の分解斜視図である。図１において全体として参照符号１０で示される本発明の好ましい実施の形態に係る暗渠疎水材投入装置は、トレンチャー（溝掘削機）によって掘削される暗渠排水管埋設溝の幅Ｗ（図７参照）とほぼ等しい幅となるように対向して配置された一対の側壁１２ａおよび側壁１２ａの前端部同士を接続する前方壁１２ｂを有する下部分１２を備えている。なお、本明細書において「前」はトレンチャーの進行方向、「後」はトレンチャーの進行方向と反対の方向を意味する。
【００１１】
暗渠疎水材投入装置１０はまた、下部分１２の上部に連結された上部分１４を備えている。上部分１４は、上方が幅広になるように傾斜した一対の側壁１４ａ、側壁１４ａの前端部同士を接続する前方壁１４ｂ、および側壁１４ａの後端部同士を接続する後方壁１４ｃを有しており、図２に明瞭に示されるように全体としてホッパ形状に形作られている。
【００１２】
暗渠疎水材投入装置１０はまた、下部分１２の後方部を閉鎖するように配置された疎水材調整板１６を備えている。疎水材調整板１６には、垂直方向に延びたスリット１６ａが設けられており、下端１６ｂが所望の高さに位置するようにスリット１６ａを通した留めボルト１６ｃで上部分１４の後方壁１４ｃに固定されている。後述するように、疎水材調整板１６の下端１６ｂによって溝内に投入された疎水材の表面が均される。
【００１３】
なお、下部分１２、上部分１４および疎水材調整板１６は、鋼板で形成されている。
【００１４】
暗渠疎水材投入装置１０はまた、下部分１２の前方壁１２ｂから垂下するように取り付けられた隔壁片１８を備えている。隔壁片１８は、ゴム等の弾性材料で形成されている。また、隔壁片１８は、溝内に投入された疎水材が前方箇所Ａ（図５参照）に流れ込むことがないように、下端１８ａが溝底に常に接するように長さが選定されている。隔壁片１８を設けたことにより、疎水材が下部分１２よりも前方個所Ａに投入されることが妨げられるので作業環境を確保することができるとともに、暗渠排水管の底面に疎水材が侵入することを防止することができる。
【００１５】
暗渠疎水材投入装置１０はさらに、暗渠疎水材投入装置１０をトレンチャー後部の泥よけ部に連結するための連結部分２０を備えている。なお、連結部分２０は、下部分１２と一体に形成してもよい。
【００１６】
好ましくは、暗渠疎水材投入装置１０は、下部分１２および上部分１４を昇降させるための昇降機構２２を備えている。 図４（ａ）および（ｂ）は、昇降機構２２を示した図である。昇降機構２２は、トレンチャーの後端に配置された柱部材２４の上部に上端２２ａ１が回転可能に取り付けられたシリンダ２２ａと、下端２２ｂ１が泥よけ部に回転可能に取り付けられたピストンロッド２２ｂと、柱部材２４に取り付けられ、泥よけ部の前端に設けられたガイドローラ２２ｄを案内するガイドレール２２ｃとを有している。かかる構成により、ピストンロッド２２ｂを伸長させると、泥よけ部とともに下部分１２／上部分１４が下降し（図４（ａ））、ピストンロッド２２ｂを伸長させると、泥よけ部とともに下部分１２／上部分１４が上昇する（図４（ｂ））ようになっている。
【００１７】
次に、主として図５〜図７を参照して、以上のように構成された暗渠疎水材投入装置１０の作動について説明する。まず最初に、暗渠疎水材投入装置１０を後部に接続したトレンチャーを用いて、暗渠排水管を埋設しようとする個所に溝を掘削して暗渠排水管を敷設する（トレンチャー自体は公知の装置である）。それとともに、昇降機構２２を作動させて、疎水材調整板１６の下端１６ｂが地表面から深さＨの個所に位置するように調整しておく。次いで、並走する疎水材供給機（図６参照）から上部分１４内に疎水材を供給する。すると、疎水材は、下部分１２を経由して溝内に投入される。そして、トレンチャーが前進しているため、暗渠疎水材投入装置１０も移動し、溝内に投入された疎水材の上面が疎水材調整板１６の下端１６ｂで均される。これにより、暗渠疎水材投入装置１０が通過した個所では、疎水材の上面が地表面から深さＨの個所に位置するように自動的に均されることとなる。なお、暗渠疎水材投入装置１０に設置されている隔壁片１８により、疎水材が下部分１２よりも前方個所Ａに流れ込むことがないので作業環境を確保することができ、かつ、暗渠排水管の底面に疎水材が侵入することを防止することができる。
【００１８】
なお、留めボルト１６ｃを弛めて疎水材調整板１６を上下動させることによっても、疎水材調整板１６の下端１６ｂの位置を調整することができる。
【００１９】
本発明は、以上の発明の実施の形態に限定されることなく、特許請求の範囲に記載された発明の範囲内で、種々の変更が可能であり、それらも本発明の範囲内に包含されるものであることはいうまでもない。
【００２０】
たとえば、添付図面に図示した下部分１２、上部分１４、連結部分２０などの寸法や形状は例示的なものにすぎず、本発明の所要の目的を達成することができるものであれば、他の形状や寸法を採用してもよい。
【図面の簡単な説明】
【００２１】
【図１】本発明の好ましい実施の形態に係る本発明の好ましい実施の形態に係る暗渠疎水材投入装置を示した斜視図である。
【図２】図１の暗渠疎水材投入装置の分解斜視図である。
【図３】図３（ａ）は図１の暗渠疎水材投入装置の平面図、図３（ｂ）は図１の暗渠疎水材投入装置の正面図、図３（ｃ）は図３（ｂ）の線３ｃ−３ｃに沿って見た図、図３（ｄ）は図３（ａ）の線３ｄ−３ｄに沿って見た断面図である。
【図４】昇降機構を示した図である。
【図５】トレンチャーの後部に設置された暗渠疎水材投入装置を用いて暗渠工事が行われている状態を示した模式図である。
【図６】暗渠疎水材投入装置内に疎水材を供給する疎水材供給機を示した模式図である。
【図７】暗渠疎水材投入装置の作動状態を示した一部切り取り斜視図である。
【図８】典型的な暗渠を示した模式図である。
【図９】従来の暗渠工事を示した模式図である。
【符号の説明】
【００２２】
１０  暗渠疎水材投入装置
１２  下部分
１２ａ  側壁
１２ｂ  前方壁
１４  上部分
１４ａ  側壁
１４ｂ  前方壁
１４ｃ  後方壁
１６  疎水材調整板
１６ａ  スリット
１６ｂ  下端
１６ｃ  留めボルト
１８  隔壁片
２０  連結部分
２２  昇降機構
２２ａ  シリンダ
２２ｂ  ピストンロッド
２２ｃ  ガイドレール
２２ｄ  ガイドローラ
【図１】
2012132276.tif 000003
【図２】
2012132276.tif 000004
【図３】
2012132276.tif 000005
【図４】
2012132276.tif 000006
【図５】
2012132276.tif 000007
【図６】
2012132276.tif 000008
【図７】
2012132276.tif 000009
【図８】
2012132276.tif 000010
【図９】
2012132276.tif 000011